(57)【特許請求の範囲】
【請求項１】
人が出入り可能な箱体と、
前記箱体の内側に設けられる便器と、
水を給水可能な給水口を有し、前記便器を洗浄する水を貯留する水タンクと、
前記箱体の上側に設けられる天板部及びこの天板部の外縁から上側に突出する凸縁部を有し、雨水を受けることの可能な屋根と、
一方の側が前記天板部に設けられた流出口に接続され、他方の側が前記水タンクに設けられた流入口に接続され、前記屋根に受けた雨水を前記水タンク又は前記箱体の外部に設置される貯水タンクに導入する配管を備え、
前記箱体は、上下方向に延びて前記屋根を支える複数の支柱、及び前記支柱と前記支柱との間に設けられる側板を有し、
前記配管は前記支柱の内側を通り、前記天板部の前記流出口と前記水タンクの前記流入口とを接続することを特徴とする仮設トイレ。
【請求項２】
前記配管は、一方の側および他方の側が前記支柱の内側から露出していることを特徴とする請求項１に記載の仮設トイレ。
【請求項３】
前記天板部は、前記箱体に人が出入りする出入口側からこの出入口側と反対の奥側に向かい下側へ傾斜する傾斜面、及びこの傾斜面より前記奥側の前記凸縁部に沿って流出口に向かい下側へ傾斜する溝流路を有することを特徴とする請求項１または２に記載の仮設トイレ。
【請求項４】
前記傾斜面は、上側へ突出し、雨水による変形を抑制可能な凸部を有することを特徴とする請求項３に記載の仮設トイレ。
【請求項５】
前記凸部は、前記凸縁部以下の高さに形成されることを特徴とする請求項４に記載の仮設トイレ。
【請求項６】
前記凸縁部は、外側から前記天板部側に向けて下側へ傾斜することを特徴とする請求項１〜５のいずれか一項に記載の仮設トイレ。
【請求項７】
前記天板部の前記流出口に異物を捕獲するフィルタを備え、
前記フィルタは、前記傾斜面と前記溝流路との境界に延びると共に、前記溝流路を覆うことを特徴とする請求項１〜６のいずれか一項に記載の仮設トイレ。
【請求項８】
前記凸縁部は、前記箱体の側面側又は奥側に、前記天板部側から外側に延びる溝を有することを特徴とする請求項１〜７のいずれか一項に記載の仮設トイレ。
【発明の詳細な説明】
【技術分野】
【０００１】
本発明は、屋外で使用される仮設トイレに関する。
【背景技術】
【０００２】
従来より、建設現場、工事現場等で使用される移動可能な仮設トイレが知られている。仮設トイレは、便器を洗浄する水を貯留する水タンクを備えている（特許文献１参照）。仮設トイレの管理者等は、水タンクに設けられた給水口から、この水タンクに定期的に水を補給している。
【先行技術文献】
【特許文献】
【０００３】
【特許文献１】特開２００６−２５７７９４号公報
【発明の概要】
【発明が解決しようとする課題】
【０００４】
しかしながら、仮設トイレの設置される建設現場等では、水道設備が設置されてないことがある。このため、管理者が例えばポリタンクなどに水を入れて、建設現場等へ運ぶ作業が必要であった。
本発明は、上記課題に鑑みてなされたものであり、その目的は、雨水を利用し、水タンクに水を貯留することが可能な仮設トイレを提供することにある。
【課題を解決するための手段】
【０００５】
請求項１に係る発明によると、人が出入り可能な箱体の内側に便器が設けられる。この便器を洗浄する水を貯留する水タンクは、水を給水可能な給水口を有する。屋根は、箱体の上側に設けられる天板部、及びこの天板部の外縁から上側に突出する凸縁部を有することで、雨水を受けることが可能である。天板部に設けられた流出口に一方の側が接続され、水タンクに設けられた流入口に他方の側が接続された配管は、屋根に受けた雨水を水タンク又は箱体の外部に設置される貯水タンクに導入する。これにより、雨水を利用し、水タンクに水を供給することが可能になる。したがって、水タンクに水を供給する作業が省かれるので、仮設トイレの利便性を向上することができる。また、貯水タンクに雨水を導入した場合、この貯水タンクから水タンクに水を給水すればよい。貯水タンクとしては、例えばポリタンク、一斗缶又はポリバケツ等が例示される。
なお、本明細書において、上側とは重力方向の上側をいい、下側とは重力方向の下側をいうものとする。
【０００６】
さらに請求項１に係る発明によると、箱体は、上下方向に延び屋根を支える複数の支柱、及びこの支柱と支柱との間に設けられる側板を有する。その支柱の内側を配管は通り、天板部の流出口と水タンクの流入口とを接続する。これにより、仮設トイレの移設時などに生じる配管の損傷を抑制することができる。また、配管の老朽化を抑制することができる。
また、雨水の重量により屋根が重くなるとき、複数の支柱により屋根を支えることができる。
【０００７】
請求項２に係る発明によると、配管は一方の側および他方の側が支柱の内側から露出している。これにより、異物による配管の詰まり等の点検、及び配管の交換作業を容易に行うことができる。
【０００８】
請求項３に係る発明によると、天板部は、箱体に人が出入りする出入口側からこの出入口側と反対の奥側に向かい下側へ傾斜する傾斜面、及びこの傾斜面の奥側の凸縁部に沿って流出口に向かい下側へ傾斜する溝流路を有する。
これにより、雨水の重量により屋根の奥側が重くなり、仮に箱体が傾いたとき、出入り口側に雨水が流れることを防ぐことができる。したがって、仮設トイレの利用者に雨水がかかることを防止することができる。
【０００９】
請求項４に係る発明によると、傾斜面は、上側へ突出し、雨水による変形を抑制可能な凸部を有する。これにより、傾斜面の剛性が高まり、傾斜面に雨水が溜まることが抑制されるので、雨水の重量による破損を防止することができる。
また、凸部を半透明に形成し、箱体内に採光を取り入れる場合、枯葉などのごみが凸部に乗ることを抑制することができる。
【００１０】
請求項５に係る発明によると、凸部は、凸縁部以下の高さに形成される。これにより、仮設トイレの体高の拡大を抑制することができる。したがって、仮設トイレを例えばトラック等で運搬する際、荷物の地上高が低くなり、運搬作業が容易になる。
さらに、仮設トイレを設置した際、凸部を外側から見えなくすることで、仮設トイレの外観を良くすることができる。
【００１１】
請求項６に係る発明によると、凸縁部は、外側から天板部側に向けて下側へ傾斜する。これにより、雨水を集める面積を大きくすることが可能となり、水タンクに大量の雨水を供給することができる。
【００１２】
請求項７に係る発明によると、天板の流出口に異物を捕獲するフィルタを備える。このフィルタは、傾斜面と溝流路との境界に延びると共に、溝流路を覆う。これにより、雨水をろ過する面積が大きくなるので、フィルタの目詰まりを抑制することができる。
【００１３】
請求項８に係る発明によると、凸縁部は、箱体の側面側又は奥側に、天板部側から外側に延びる溝を有する。これにより、フィルタ又は配管が詰まったとき、雨水は溝を経由し、箱体の側面側又は奥側に流れる。したがって、箱体の出入口側に雨水が溢れ出すことを抑制することができる。
【図面の簡単な説明】
【００１４】
【図１】本発明の第１実施形態による仮設トイレの正面図である。
【図２】図１のＩＩ方向矢視図である。
【図３】図２のＩＩＩ方向矢視図である。
【図４】図１のＩＶ方向矢視図である。
【図５】図１のＶ−Ｖ線の断面図である。
【図６】図４のＶＩ−ＶＩ線の断面図である。
【図７】図６のＶＩＩ部分の拡大図である。
【図８】図４のＶＩＩＩ−ＶＩＩＩ線の断面図である。
【図９】本発明の第２実施形態による仮設トイレの平面図である。
【図１０】図９のＸ−Ｘ線の部分断面図である。
【図１１】図９のＸＩ−ＸＩ線の部分断面図である。
【図１２】本発明の第３実施形態による仮設トイレの断面図である。
【図１３】本発明の第４実施形態による仮設トイレの平面図である。
【図１４】図１３のＸＩＶ−ＸＩＶ線の部分断面図である。
【図１５】図１３のＸＶ−ＸＶ線の部分断面図である。
【図１６】本発明の第５実施形態による仮設トイレの背面図である。
【発明を実施するための形態】
【００１５】
以下、本発明による実施形態を図面に基づいて説明する。
（第１実施形態）
本発明の第１実施形態による仮設トイレを図１〜図８に示す。図１〜図４は仮設トイレ１の外観図であり、図５〜図８は断面図である。特に、図７及び図８には、屋根の拡大断面図を示す。
本実施形態の仮設トイレ１は、建設現場、工事現場、イベント会場、サービスエリアなど、屋外で使用される仮設トイレ１である。
【００１６】
仮設トイレ１は、汚物受槽１０、箱体２０、便器３０、水タンク４０、屋根５０、配管６０およびフィルタ７０などを備えている。
汚物受槽１０は、樹脂から形成され、地面に設置される。汚物受槽１０には、人の出入りする出入口側に利用者が昇降可能なステップ１１が設けられている。汚物受槽１０に貯留される排泄物等は、吸出口１２からバキュームホース等により吸引される。
【００１７】
箱体２０は、汚物受槽１０の上側に図示しないボルト等により取り付けられる。
箱体２０は、上下方向に延びる４本の支柱２１、及び支柱２１と支柱２１との間に設けられる３枚の側板２２を有し、人が出入り可能な大きさに形成される。支柱２１は例えばアルミから形成される。側板２２は、例えばアルミから形成され、支柱２１に形成された溝に嵌め込まれることで、支柱２１に固定されている。人が出入りする出入口側の支柱２１には、開閉可能なドア２３が設けられる。
左右の側板２２及びドア２３の上部には、管理者の名称を複数の孔で表記した表示パネル２４が設けられている。この表示パネル２４は、複数の孔により換気機能を有する。
【００１８】
箱体２０の内側に、フロアパネル２５，２６が上下２段に設けられる。その上側のフロアパネル２６に便器３０が取り付けられる。
上側のフロアパネル２６と汚物受槽１０との間に、便器３０を洗浄する水を貯留する水タンク４０が設けられる。水タンク４０は、平面視で略Ｕ字状に形成され、便器３０を囲むように設けられる。水タンク４０の一部は、箱体２０から外側に突出している。水タンク４０は、水を給水可能な給水口４１、水量を認識可能なゲージ４２、排出口４３及び流入口４４を有している。
水タンク４０の水は、ポンプ４５により汲み上げられ、ホース４６を経由して便器３０の洗浄に用いられる。便器３０を洗浄した水は、汚物受槽１０に流れる。
【００１９】
箱体２０の上には、屋根５０が設けられる。屋根５０は、４本の支柱２１に支えられている。
屋根５０は、例えば繊維強化プラスチック（ＦＲＰ）から形成され、箱体２０の上側に設けられる天板部５１、及びこの天板部５１の外縁から上側に突出する凸縁部５２を有している。
凸縁部５２の四隅には、仮設トイレ１を吊り下げ可能なアイボルト５３が取り付けられている。アイボルト５３は、凸縁部５２を貫通し、支柱２１にねじ止めされている。アイボルト５３により屋根５０が箱体２０に取り付けられる。
【００２０】
天板部５１は、傾斜面５４及び溝流路５５を有する。傾斜面５４は、箱体２０に人が出入りする出入口側から、出入口側と反対の奥側に向かい下側へ略平行に傾斜している。溝流路５５は、傾斜面５４より奥側の凸縁部５２に沿って設けられ、流出口５６に向かい下側へ傾斜している。溝流路５５には、流出口５６を覆うフィルタ７０が取り付けられている。
凸縁部５２は、天板部５１の外周を囲うように設けられている。凸縁部５２の側面側には、天板部５１側から外側に延びる溝５７が設けられている。また、凸縁部５２は、外側から天板部５１側に向けて下側へ傾斜する面取り部５８を有している。
【００２１】
配管６０は、例えばビニールパイプ等から形成される。配管６０は、一方の側が屋根５０の流出口５６に接続され、箱体２０の支柱２１に設けられた孔２７から支柱２１の内側を通され、他方の側が水タンク４０の流入口４４に接続されている。配管６０は、流出口５６及び流入口４４から突出する図示しないパイプ部材に差し込まれ、図示しないホースバンドにより固定されている。
屋外に設置された仮設トイレ１に雨が降ると、傾斜面５４の受けた雨水、および凸縁部５２の受けた雨水は、傾斜面５４から溝流路５５を流れ、流出口５６から配管６０を経由して水タンク４０に導入される。
【００２２】
本実施形態では、以下の作用効果を奏する。
（１）雨水により水タンク４０に水が供給されるので、仮設トイレ１の管理者が水タンク４０に水を供給する作業が省かれる。このため、仮設トイレ１の利便性を向上することができる。なお、数日間雨が降らず、晴天が続いたときは、水タンク４０に設けられたゲージ４２により水量を確認することが可能であり、給水口４１から水道水を補給することができる。
（２）屋根５０の流出口５６と水タンク４０の流入口４４とを接続する配管６０が支柱２１の内側を通っているので、仮設トイレ１の移設時などに生じる配管６０の損傷を抑制することができる。また、配管６０の老朽化を抑制することができる。
また、配管６０は、一方の側と他方の側とがそれぞれ支柱２１の内側から露出しているので、異物による配管６０の詰まり等の点検、及び配管６０の交換作業を容易に行うことができる。
【００２３】
（３）仮設トイレ１の屋根５０は、４本の支柱２１により支えられているので、雨水の重量により屋根５０が重くなるとき、屋根５０の傾きを抑制することができる。
（４）天板部５１は、傾斜面５４が箱体２０に人が出入りする出入口側からこの出入口側と反対の奥側に向かい下側へ傾斜している。また天板部５１は、傾斜面５４の奥側に凸縁部５２に沿う溝流路５５を有する。これにより、雨水の重量により屋根５０の奥側が重くなり、仮に箱体２０が傾いたとき、出入口側に雨水が流れることを防ぐことができる。したがって、仮設トイレ１の利用者に雨水が降りかかることを防止することができる。
【００２４】
（５）仮に、雨水により水タンク４０が満たされたとき、水タンク４０の排出口４３または給水口４１を開放することで、雨水が屋根５０から溢れることを防止することができる。また、屋根５０の流出口５６が異物で詰まったとき、屋根５０の雨水は凸縁部５２の溝５７から仮設トイレ１の側面に流れる。このため、出入口を出入りする使用者に雨水が降りかかることを防止することができる。
【００２５】
（第２実施形態）
本発明の第２実施形態による仮設トイレ２を図９〜図１１に示す。以下、複数の実施形態において、上述した第１実施形態と実質的に同一の構成には同一の符号を付して説明を省略する。
本実施形態の仮設トイレ２は、屋根５０の傾斜面５４に上側にドーム状に突出する凸部５９が設けられている。凸部５９は、雨水の重量による傾斜面５４の変形を抑制可能な大きさに形成されている。また、凸部５９は、凸縁部５２以下の高さに形成されている。
屋根５０は、半透明のＦＲＰから形成され、凸部５９以外の部分に塗装がされている。これにより、凸部５９から箱体２０の内側に外光を採り入れることが可能になる。
【００２６】
本実施形態では、以下の作用効果を奏する。
（１）凸部５９により傾斜面５４の剛性が高まり、傾斜面５４に雨水が溜まることが抑制されるので、雨水の重量による屋根５０の破損を防止することができる。
（２）凸部５９は、傾斜面５４から上側に突出しているので、凸部５９に枯葉などのごみが乗ることが抑制される。これにより、箱体２０内に採光を十分に取り入れることで、仮設トイレ２を清潔に保つことができる。
（３）凸部５９は、凸縁部５２以下の高さに形成されるので、仮設トイレ２の体高が高くなることが無い。このため、仮設トイレ２を例えばトラック等で運搬する際、荷物の地上高が高くならず、運搬作業を容易に行うことができる。
【００２７】
（第３実施形態）
本発明の第３実施形態による仮設トイレ３を図１２に示す。本実施形態の仮設トイレ３は、配管６０に雨量計６１が設けられている。雨量計６１は、配管６０を流れる水量を検出可能である。雨量計６１によって検出された降雨量のデータは、発信機６２から例えば気象情報センター等へ発信される。
仮設トイレ３は、日本の各地域に設置されている。このため、気象情報センター等では、信頼性の高い最新の雨情報を入手することができる。特に狭い地域で集中的に生じるゲリラ豪雨などの情報の入手に効果的である。
【００２８】
（第４実施形態）
本発明の第４実施形態による仮設トイレ４を図１３〜図１５に示す。本実施形態の仮設トイレ４は、フィルタ７１が有底筒状に形成されている。フィルタ７１は、その底部７２を上に向けて溝流路５５に設置されている。これにより、フィルタ７１は溝流路５５を覆う。フィルタ７１の傾斜面５４側の面７３は、傾斜面５４と溝流路５５との境界に沿って延びている。
本実施形態では、雨水をろ過するフィルタ７１の実効面積を大きくすることで、フィルタ７１の目詰まりを抑制することができる。
【００２９】
（第５実施形態）
本発明の第５実施形態による仮設トイレ５を図１６に示す。本実施形態の仮設トイレ５は、箱体２０の外部に貯水タンクとしてのポリタンク１００が設置されている。この場合、屋根５０に受けた雨水をポリタンク１００に導入し、その雨水を必要に応じて水タンク４０に入れれば、便器３０の洗浄に用いることができる。これにより、仮設トイレ５の利便性を向上することができる。
【００３０】
（他の実施形態）
上述した実施形態では、水タンク４０は、内部の水量をゲージ４２により確認し、給水口４１から水を補給するものについて説明した。これに対し、本発明は、水タンク内の水量により変位する浮き子栓を備え、水タンク内の雨水が減少すると自動で給水されるボールタップ式等による自動給水の仮設トイレに適用することができる。
上述した第２実施形態では、屋根５０の凸部５９を楕円のドーム状に形成した。これに対し、本発明は、凸部は、ドーム状に限らず、直方体形状、円錐状など、どのような形状に形成してもよい。
このように、本発明は、上述した実施形態に限定されることなく、特許請求の範囲に記載された発明の趣旨に基づき種々の実施形態に適用することができる。
【符号の説明】
【００３１】
１，２，３，４・・・仮設トイレ
２０          ・・・箱体
２１          ・・・支柱
２２          ・・・側板
３０          ・・・便器
４０          ・・・水タンク
４１          ・・・吸入口
４４          ・・・流入口
５０          ・・・屋根
５１          ・・・天板部
５２          ・・・凸縁部
５４          ・・・傾斜面
５５          ・・・溝流路
５６          ・・・流出口
５７          ・・・溝
５９          ・・・凸部
６０          ・・・配管
７０，７１    ・・・フィルタ
【図１】
0005695375.tif 000002
【図２】
0005695375.tif 000003
【図３】
0005695375.tif 000004
【図４】
0005695375.tif 000005
【図５】
0005695375.tif 000006
【図６】
0005695375.tif 000007
【図７】
0005695375.tif 000008
【図８】
0005695375.tif 000009
【図９】
0005695375.tif 000010
【図１０】
0005695375.tif 000011
【図１１】
0005695375.tif 000012
【図１２】
0005695375.tif 000013
【図１３】
0005695375.tif 000014
【図１４】
0005695375.tif 000015
【図１５】
0005695375.tif 000016
【図１６】
0005695375.tif 000017